(57)【特許請求の範囲】
【請求項１】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、を有し、
前記アンテナコネクタの前記ケース体との接合面には、凸状の固定部及び挟持部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されたとき、前記アンテナコネクタの固定部と挟持部により、前記ケース体の垂直面における前記挿入孔から前記水平面までの部分が挟持される
チューナモジュール。
【請求項２】
前記アンテナコネクタの前記接合面には、前記芯線を中心に対向する２つの固定部が形成されている
請求項１に記載のチューナモジュール。
【請求項３】
前記アンテナコネクタの接合面に形成された固定部及び挟持部は、前記接合面の正面からみた形状が円弧状である
請求項１又は２に記載のチューナモジュール。
【請求項４】
前記ケース体は、
前記チューナモジュール基板に平行であって前記水平面としての基面部と、
前記基面部の縁部に垂直に形成された前記垂直面としての側部と、
を有する枠型に形成されており、
前記側部が、前記アンテナコネクタの高さより低い高さをもって形成されている
請求項１乃至３のいずれかに記載のチューナモジュール。
【請求項５】
前記ケース体は、
該ケース体の一端面から前記チューナモジュール基板に対して垂直に折り曲げられた前記垂直面としての側部が形成された折り曲げ部、を有し、
前記ケース体の前記折り曲げ部以外の部分の高さが、前記折り曲げ部の前記側部の高さより低い高さをもって形成されている
請求項１乃至３のいずれかに記載のチューナモジュール。
【請求項６】
前記ケース体が配置されて前記チューナモジュール基板のグランドラインが接続されるベース、を有する
請求項５に記載のチューナモジュール。
【請求項７】
前記ケース体は、導電性を有する金属で構成される
請求項１乃至６のいずれかに記載のチューナモジュール。
【請求項８】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、を有し、
前記アンテナコネクタの前記ケース体との接合面には、凸状の固定部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されて、前記アンテナコネクタの固定部が、前記ケース体の垂直面に形成された前記挿入孔にカシメられ、
前記ケース体は、
該ケース体の一端面から前記チューナモジュール基板に対して垂直に折り曲げられた前記垂直面としての側部が形成された折り曲げ部、を有し、
前記ケース体の前記折り曲げ部以外の部分の高さが、前記折り曲げ部の前記側部の高さより低い高さをもって形成されている
チューナモジュール。
【請求項９】
前記ケース体の折り曲げ部の形状に合わせて形成され、該折り曲げ部を覆う補強部材、を有し、
前記補強部材の前記ケース体と当接する端部には係止部が形成され、該係止部により前記補強部材が前記ケース体に係止されている
請求項８に記載のチューナモジュール。
【請求項１０】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、
を有するチューナモジュールと、
前記チューナモジュールが実装される回路基板と、を含み、
前記アンテナコネクタの前記ケース体との接合面には、凸状の固定部及び挟持部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されたとき、前記アンテナコネクタの固定部と挟持部により、前記ケース体の垂直面における前記挿入孔から前記水平面までの部分が挟持される
受信装置。
【請求項１１】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、
を有するチューナモジュールと、
前記チューナモジュールが実装される回路基板と、を含み、
前記アンテナコネクタの前記ケース体との接合面には、凸状の固定部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されて、前記アンテナコネクタの固定部が、前記ケース体の垂直面に形成された前記挿入孔にカシメられ、
前記ケース体は、
該ケース体の一端面から前記チューナモジュール基板に対して垂直に折り曲げられた前記垂直面としての側部が形成された折り曲げ部、を有し、
前記ケース体の前記折り曲げ部以外の部分の高さが、前記折り曲げ部の前記側部の高さより低い高さをもって形成されている
受信装置。
【請求項１２】
前記ケース体の折り曲げ部の形状に合わせて形成され、該折り曲げ部を覆う補強部材、を有し、
前記補強部材の前記ケース体と当接する端部には係止部が形成され、該係止部により前記補強部材が前記ケース体に係止されている
請求項１１に記載の受信装置。
【発明の詳細な説明】
【技術分野】
【０００１】
本開示は、チューナモジュール及び受信装置に関し、詳しくはチューナモジュールを薄型化する技術に関する。
【背景技術】
【０００２】
近年、高周波モジュールの一例であるテレビジョン（ＴＶ）チューナはＴＶ受像機のみならず、パーソナルコンピュータ（ＰＣ）などのＩＴ機器にも内蔵されるようになっている。これらのＴＶやＰＣは年々、小型化及び薄型化して利便性を高めており、チューナモジュールにおいても薄型化が重要な課題になってきている。
【０００３】
ＴＶチューナの形状およびその実装方法を示すものとして、たとえば第１の例が特許文献１に開示され、第２の例が特許文献２に開示されている。
【０００４】
第１の例では、入力コネクタ(アンテナコネクタ)を取り付けるシャーシの接面の外形がシャーシアングル部よりも厚くなることが特徴となるように構成されている。
この形状は、チューナ単体の筐体について薄くすることを目的に最適化したもので、入力コネクタの外径によって厚みが決定される構造になっている。
【０００５】
第２の例では、入力コネクタ取り付け箇所の下部をチューナが搭載される回路基板に当接させ、同時に同様の高さで当該回路基板に当接させる他の足部と組み合わせて取り付ける構造にしたものが記載されている。
この方法によってもチューナの厚さは概ね入力コネクタの外径に決定される。
【先行技術文献】
【特許文献】
【０００６】
【特許文献１】特許第３４１１４６１号明細書
【特許文献２】特開２００４−２２９２１２号公報
【発明の概要】
【発明が解決しようとする課題】
【０００７】
ところが、第１の例では入力コネクタの取り付け部とシャーシアングル部は同時に共通のカバーによって上下面から覆われて固定される構造になっている。
この場合、均一な面を構成するカバーの表面を基準に考えると入力コネクタの外接部とシャーシアングル部の厚さを著しく大きくしてもカバーで覆われた後には、厚さが大きい入力コネクタの外接部の寸法に概等しい高さにせざるを得ない。
したがって、チューナ全体の厚さを入力コネクタの外径よりも多少小さくできるか、あるいはカバーを掛けることで殆ど薄くならない構成である。
【０００８】
さらに第２の例でも、チューナとチューナを搭載する基板の上に載せる形で搭載する構造であることから、チューナ部の厚さは回路基板の厚さが加えられる。すなわち、回路基板の厚さに入力コネクタの外径にほぼ等しい厚さが加算される構造である。
この例も同様に、チューナ全体の厚さは入力コネクタの外径に概等しい厚さのチューナしか実現できず、さらにこの形状のまま回路基板に乗る構成のため最終的には回路基板の厚さが更に加算される構造体になってしまい、薄型化の限界がある。
【０００９】
以上説明したように、従来技術を用いたチューナ構造では、回路基板の上にマウントする構造になっているので、チューナの厚さ寸法は回路基板の厚さに純粋に加算されることになる。
そのため、チューナ部の厚さ寸法を薄くするのに、チューナ部に固定される入力コネクタの厚さが下限になってしまうことが上記の２つの文献からも容易に分かる。
【００１０】
近年特に薄型化が進む液晶ＴＶでは、このようなチューナの高さも無視できないサイズになってきている。       
基板の上に搭載されるチューナの取り付け構造では、アンテナからの入力ケーブルを接続する入力コネクタ部の中心が回路基板とチューナの合算された厚さの中点からオフセットされた位置に配されることも容易に予想できる。
この場合、実際にＴＶへケーブルを接続する場合にも作業するスペースが狭くなってしまう不具合も起こりやすい。
【００１１】
本開示は、チューナモジュールを受信装置に搭載したときの装置全体の厚さ寸法を、広い範囲で極めて薄くすることにある。
【課題を解決するための手段】
【００１２】
本開示のチューナモジュールの一側面は、チューナ機能部が形成されたチューナモジュール基板と、少なくともチューナモジュール基板を内蔵するように保持するケース体と、該ケース体に固定され、芯線がケース体に内蔵されたチューナモジュール基板に接続される少なくとも一つのアンテナコネクタと、を有する。
アンテナコネクタのケース体との接合面には、凸状の固定部及び挟持部が形成されている。
ケース体は、少なくともチューナモジュール基板に対し水平面及び垂直面を持ち、その垂直面には、アンテナコネクタの芯線及び固定部が挿入される１以上の挿入孔が形成されている。
そして、アンテナコネクタの芯線及び固定部がケース体の挿入孔に挿入されたとき、アンテナコネクタの固定部と挟持部により、ケース体の垂直面における挿入孔から水平面までの部分が挟持される。
【００１３】
本開示のチューナモジュールの他の側面は、上記と同様に、チューナモジュール基板と、ケース体と、アンテナコネクタと、を有する。
ここで、アンテナコネクタのケース体との接合面には、凸状の固定部が形成されている。
ケース体は、少なくともチューナモジュール基板に対し水平面及び垂直面を持ち、その垂直面には、アンテナコネクタの芯線及び固定部が挿入される１以上の挿入孔が形成されている。
そして、アンテナコネクタの芯線及び固定部が前記ケース体の挿入孔に挿入されて、アンテナコネクタの固定部が、ケース体の垂直面に形成された挿入孔にカシメられている。
【００１４】
本開示の一側面及び他の側面によれば、アンテナコネクタの接合面の芯線及び固定部をケース体の挿入孔に挿入し、アンテナコネクタの固定部を、ケース体の垂直面に形成された挿入孔にカシメて固定する構成としている。それにより、ケース体の高さをアンテナコネクタの高さよりも低い高さでもって形成することができる。そして、ケース体のアンテナコネクタとの接合面付近を除くケース体全体の厚さ寸法を、小さく抑えることができる。
【発明の効果】
【００１５】
本開示によれば、チューナモジュールを受信装置に搭載したとき、例えばアンテナコネクタのみを受信装置の外部に露出するようにしてチューナモジュールを受信装置に搭載したとき、装置全体の厚さ寸法が、広い範囲で極めて薄くなる。
【図面の簡単な説明】
【００１６】
【図１】本開示の第１の実施形態に係るチューナモジュールの上面側から見た構成例を示す斜視図である。
【図２】本開示の第１の実施形態に係るチューナモジュールの上面側から見た構成例を示す分解斜視図である。
【図３】本開示の第１の実施形態に係るチューナモジュールの上面側の他の方向から見た構成例を示す分解斜視図である。
【図４】本開示の第１の実施形態に係るチューナモジュールの要部を上面側から見た構成例を示す斜視図である。
【図５】本開示の第１の実施形態に係るチューナモジュールの構成例を示す概略断面図である。
【図６】本実施形態に係るチューナモジュールを採用した受信装置の構成例を示す図である。
【図７】本実施形態に係るチューナモジュールを実装した回路基板の構成例を示す平面図である。
【図８】本実施形態に係るチューナモジュールを実装した回路基板を備えるテレビジョン受像機（受信装置の一例）の構成例を示す正面図及び側面図である。
【図９】本実施形態に係るチューナモジュールを実装した回路基板を備えるテレビジョン受像機（受信装置の一例）の構成例を示す概略断面図である。
【図１０】本開示の第２の実施形態に係るチューナモジュールの上面側から見た構成例を示す斜視図である。
【図１１】本開示の第２の実施形態に係るチューナモジュールの上面側から見た構成例を示す分解斜視図である。
【図１２】本開示の第２の実施形態に係るチューナモジュールの底面側からみた構成例を示す斜視図である。
【図１３】本開示の第２の実施形態の変形例に係るチューナモジュールの上面側から見た構成例を示す斜視図である。
【図１４】本開示の第２の実施形態に係るチューナモジュールの構成例を示す概略断面図である。
【発明を実施するための形態】
【００１７】
以下に添付図面を参照しながら、本開示を実施するための形態の例について説明する。なお、本明細書及び図面において、実質的に同一の機能又は構成を有する構成要素については、同一の符号を付することにより重複する説明を省略する。
【００１８】
なお、説明は以下の順序で行うものとする。
１．第１の実施形態（チューナケース：折り曲げ部を有する例）
１−１．チューナモジュールの構成例
１−２．受信装置の構成例
１−３．テレビジョン受像機に適用した例
２．第２の実施形態（チューナケース：チューナケースのコネクタ接合部の高さをアンテナコネクタの高さより低い形状にした例）
【００１９】
＜１．第１の実施形態＞
［１−１．チューナモジュールの構成例］
図１〜図５を参照して、本開示の第１の実施形態に係るチューナモジュールについて説明する。
図１は、本開示の第１の実施形態に係るチューナモジュールの上面側から見た構成例を示す斜視図である。
図２は、本開示の第１の実施形態に係るチューナモジュールの上面側から見た構成例を示す分解斜視図である。
図３は、本開示の第１の実施形態に係るチューナモジュールの上面側の他の方向から見た構成例を示す分解斜視図である。
図４は、本開示の第１の実施形態に係るチューナモジュールの要部を上面側から見た構成例を示す斜視図である。
図５は、本開示の第１の実施形態に係るチューナモジュールの構成例を示す概略断面図（Ｘ−Ｘ線断面）である。
【００２０】
第１の実施形態は、チューナモジュールを構成するチューナケースに、アンテナコネクタとの接合部となる折り曲げ部を形成し、チューナケースの折り曲げ部を除く部分がアンテナコネクタの高さ（外径）より低い構造とした例である。
【００２１】
第１の実施形態に係るチューナモジュール１は、チューナ機能部が形成されたチューナモジュール基板１０（単に「基板」とも称する）と、チューナモジュール基板１０を内蔵するように保持し、シールドケースとしての機能を有するチューナケース２０（ケース体）を有する。
また、チューナモジュール１は、チューナケース２０に固定され、芯線３６がチューナケース２０に内蔵されるチューナモジュール基板１０に接続される二つのアンテナコネクタ３１，３２を有する。アンテナコネクタ３１，３２はおおよそ円柱形状をしており、一方の底面部にアンテナケーブルが接続され、他方の底面部（接合面３３）がチューナケース２０と接合している。
また、チューナケース２０は、ベース５０の上に配置されるとともに、上部はカバー６０で覆われており、チューナモジュール基板１０が保護される構造とされている。
【００２２】
このチューナケース２０は、略箱型の収容空間を持つ構造に形成され、略箱型の縁部に形成されたチューナモジュール基板１０とほぼ垂直な面を持つ側部ＳＤ１，ＳＤ２，ＳＤ３，ＳＤ４からなる略枠型の形状を有する。チューナケース２０の側部ＳＤ１，ＳＤ２，ＳＤ３，ＳＤ４は、一つの板状の金属を加工して形成される。チューナケース２０の上面は、ＩＣ等の点検など作業がしやすいように複数の開口部を有する。
【００２３】
まず、チューナモジュール基板１０について説明する。
チューナモジュール基板１０は、その主面に例えば地上テレビジョン放送（ＴＶ）チューナモジュール機能部としてのＩＣ（回路）１１−１〜１１−３や、衛星放送（ＢＳ）チューナモジュール機能部としてのＩＣ（回路）１２−１〜１２−３、電子部品が形成（搭載）されている。この例では、ＴＶの３チャンネル及びＢＳの３チャンネルを同時受信できる。チューナモジュール基板１０は、一例として図５に示すようなテレビジョン受像機の回路基板１５０上に実装される。
【００２４】
チューナモジュール基板１０は、チューナケース２０の略箱型の収容空間内に収まる大きさの矩形状に形成されている。チューナモジュール基板１０は、アンテナコネクタ３１，３２の各々の平バネ状の金属からなる芯線３６が挿通されるスルーホール１５が形成されている。
【００２５】
チューナモジュール基板１０は、矩形状を有し、周囲の縁部の一辺に例えば３個の被係止部１３−１〜１３−３が形成されている。また、チューナモジュール基板１０の被係止部１３−１〜１３−３の各々は、チューナケース２０の側部ＳＤ４に形成される不図示の３個の挿入子が挿入される挿入孔が形成されている。本明細書において以降、種々の挿入子について説明をするが、挿入子は係止部の一例である。
チューナケース２０の側部ＳＤ４に設けられた挿入子をそれぞれ、チューナモジュール基板１０の被係止部１３−１〜１３−３の挿通孔に挿通させて、被係止部１３−１〜１３−３を不図示のカシメ部等により係止する。
同様に、チューナモジュール基板１０の被係止部１３−１〜１３−３が形成された辺と対向する辺に、例えば３個の不図示の被係止部が形成されている。そして、チューナケース２０の側部ＳＤ２に形成される不図示の３個の係止部によって、それらの被係止部が係止される。
それにより、チューナモジュール基板１０がチューナケース２０の収容空間に収容され、チューナモジュール基板１０をチューナケース２０の収容空間内の安定な位置に保持させる。
【００２６】
次に、チューナケース２０について説明する。
収容空間内にチューナモジュール基板１０を保持した状態のチューナケース２０を、ベース５０に配置する。ベース５０の４辺には、チューナケース２０の側部ＳＤ１〜ＳＤ４の側面に当接してチューナケース２０を支持する支持部５２−１〜５２−７が形成されている。
また、チューナケース２０の側部ＳＤ４に対応するベース５０の辺には掛止部５１−１，５１−２が形成され、側部ＳＤ２に対応する辺には掛止部５１−３，５１−４が形成されている。この掛止部５１−１〜５１−４に対応してチューナケース２０の側部ＳＤ４に突条部２８−２，２８−４が形成され、側部ＳＤ２も同様に不図示の二つの突条部が形成されている。
そして、ベース５０の掛止部５１−１〜５１−４が突条部２８−２，２８−４，・・・に掛止されることにより、ベース５０がチューナケース２０の安定な位置に保持される。
【００２７】
なお、チューナケース２０は、底面の４角と中央付近に、挿入子２０ａ−１〜２０ａ−５を有する。ベース５０は、チューナケース２０の挿入子２０ａ−１〜２０ａ−５に対応する位置に、挿入孔５４−１，５４−２，・・・と切り欠き部５５−１，５５−２を有し、各々に挿入子２０ａ−１〜２０ａ−５が挿入される。
【００２８】
チューナケース２０は、アンテナコネクタ３１，３２との接合部となる側部ＳＤ１に折り曲げ部２０Ａが形成されている。この折り曲げ部２０Ａを中心とするチューナケース２０の構造及びアンテナコネクタ３１，３２との接合の詳細な説明については、後述する。
【００２９】
チューナケース２０にアンテナコネクタ３１，３２を固定した後、折り曲げ部２０Ａの上面を覆うようにして補強部材４０を配置する。補強部材４０の詳細な構造については、後述する。
そして、チューナケース２０にアンテナコネクタ３１，３２と補強部材４０を固定した後、ベース５０が取り付けられる。
【００３０】
その後、チューナケース２０にカバー６０が取り付けられる。
カバー６０には、側部ＳＤ２，ＳＤ４に当接してチューナケース２０を支持する支持部６２，・・・が形成されている。またチューナケース２０の側部ＳＤ４に対応するカバー６０の辺には掛止部６１−１，６１−２が形成され、側部ＳＤ２に対応する辺にも同様に掛止部が形成されている。この掛止部６１−１，６１−２・・・に対応してチューナケース２０の側部ＳＤ４に突条部２８−１，２８−３が形成され、側部ＳＤ２も同様に不図示の二つの突条部が形成されている。
そして、カバー６０の掛止部６１−１，６１−２，・・・が突条部２８−１，２８−３，・・・に掛止されることにより、チューナケース２０がカバー６０に安定的に覆われる。
【００３１】
次に、チューナケース２０の折り曲げ部２０Ａについて説明する。
チューナケース２０は、その全体の大部分を薄い箱形形状をとっており、アンテナコネクタ３１，３２の接合部は該チューナケース２０の一端面を折り曲げた形状の折り曲げ部２０Ａを有している。
【００３２】
折り曲げ部２０Ａは、チューナケース２０の一端面からチューナモジュール基板１０に対し垂直に折り曲げられた垂直面（側部ＳＤ１）と、その側部ＳＤ１と連続してチューナモジュール基板１０に平行に折り曲げられている水平面２３を有している。
チューナケース２０の一端面から水平面２３が折り曲げられ、その後、チューナケース２０のより中心に近いところから折り曲げられ、側部ＳＤ１（垂直面）が形成される。
【００３３】
折り曲げ部２０Ａの側部ＳＤ１は、アンテナコネクタ３１，３２との接合面であり、アンテナコネクタ３１，３２に設けられた芯線３６及びカシメ部３５ａ，３５ｂ（固定部の一例）が挿入される挿入孔２１−１，２１−２が形成されている。
側部ＳＤ１のうち水平面２３と連続する面の幅は、チューナケース２０の四辺の短辺の幅より短く、側面から見たその形状は凸形状である。その側部ＳＤ１のうち水平面２３と連続する面の両肩（側部ＳＤ２，ＳＤ４と係止する部分）には、切り欠き部２２−１，２２−２が形成されている。折り曲げ部２０Ａの側部ＳＤ１と水平面２３により形成される角部の一部に、挿入孔２４が形成されており、その挿入孔２４の縁にカシメ部２４ａ，２４ｂが形成されている。これら切り欠き部２２−１，２２−２、挿入孔２４とカシメ部２４ａ，２４ｂは、後述する補強部材４０の一部を挿入し、固定するための構造である。
【００３４】
折り曲げ部２０Ａの水平面２３の一部には、基板方向への切り起こしによって柱部２６が形成され、その柱部２６の先端には挿入子２６ａが形成されている。また、チューナケース２０の側部ＳＤ１の裏側（基板側）には、凸形状の位置決め部２５を有する。さらに、チューナケース２０の側部ＳＤ１の所定位置には、２つの挿入孔（図示略）が形成されている。
【００３５】
チューナケース２０の一端面を折り曲げて折り曲げ部２０Ａの水平面２３を形成し、後に側部ＳＤ１を形成する際に、チューナモジュール基板１０を略箱状のチューナケース２０内に装着する。このとき、チューナモジュール基板１０の側部ＳＤ１の裏面の位置決め部２５と当接する部分に切り込み部１４を形成し、該切り込み部１４に位置決め部２５を挿入し、およその位置決めをする。
ここで、側部ＳＤ１を形成する際に、同時にチューナケース２０の一端面から側部ＳＤ２，ＳＤ４が基板の垂直方向に折り曲げられる。側部ＳＤ２，ＳＤ４の端部に設けられた係止部２９−４，２９−１が側部ＳＤ１の対応する挿入孔に挿入され、側部ＳＤ１が垂直の状態に掛止される。側部ＳＤ３にも同様に図示しない２つの挿入孔が形成され、側部ＳＤ２，ＳＤ４の端部に設けられた係止部２９−２，２９−３が側部ＳＤ３の対応する挿入孔に挿入され、側部ＳＤ３が垂直の状態に係止される。同時に、側部ＳＤ２，ＳＤ４も垂直の状態に係止される。
そして、側部ＳＤ１の形成と同時に、水平面２３から切り起こされた柱部２６の先端の挿入子２６ａを、チューナモジュール基板１０の対応する位置に形成された挿入孔に挿入し、チューナモジュール基板１０を固定する。
このようにチューナモジュール基板１０をチューナケース２０に挿入後に、チューナケース２０の側部を変形させチューナモジュール基板１０の脱落を防止している。
【００３６】
この折り曲げ部２０Ａによって形成される空間には、上記ＩＣ等と接続する高周波回路の一部（例えば、衛星放送波及び地上テレビジョン放送波の入力回路、あるいは衛星放送波と地上テレビジョン放送波の混成波の入出力回路）が配される。
【００３７】
図２に示すようにチューナケース２０は、折り曲げ部２０Ａだけでなく、側部ＳＤ１〜ＳＤ４、あるいは内部を複数の小部屋（本例では４部屋）に分ける壁部の挿入子（図示略）もチューナモジュール基板１０に設けたスルーホールと半田付けにより接続している。
本例では、チューナケース２０が壁部によってＩＣ１１−１，１２−１が配された小部屋、ＩＣ１１−２，１２−２が配された小部屋、ＩＣ１１−３が配された小部屋、ＩＣ１２−３が配された小部屋に分けられている。
【００３８】
本実施形態のチューナケース２０は、薄い材料であって半田付け性に優れる銅、ニッケル、亜鉛の合金である通称、洋白と呼ばれる金属、あるいはブリキと呼ばれる錫メッキ鋼が用いられる。ただし、チューナケース２０としては、一般に導電性が優れていれば問題無いため、形状の制約がゆるい場合は安価なブリキ材やその類似品、その他の金属を用いることも可能である。
【００３９】
図４に示すように、チューナケース２０の側部ＳＤ１に取り付けられるアンテナコネクタ３１，３２は、接合面に、芯線３６を中心に対向するカシメ部３５ａとカシメ部３５ｂを有する。そのカシメ部３５ａ，３５ｂの接合面３３の正面から見た形状が円弧状で、側面からの形状が凸状である。このカシメ部３５ａ，３５ｂは、チューナモジュール基板１０に対しておおよそ垂直な方向に延在するよう形成されている。すなわち、チューナモジュール基板１０に平行な面を基準面（０度）とした場合、アンテナコネクタ接合面を正面から見てカシメ部３５ａは一例として−１８０度±α度、カシメ部３５ｂは０度±α度の位置に配置される。
【００４０】
そして、カシメ部３５ａ，３５ｂを側部ＳＤ１の挿入孔２１−１，２１−２に挿入し、カシメ部３５ａ，３５ｂを外側に広げて、アンテナコネクタ３１，３２をチューナケース２０の側部ＳＤ１にカシメ固定する。上記のアンテナコネクタ接合面に対するカシメ部３５ａ，３５ｂの配置によって、アンテナコネクタとチューナケース２０が、チューナモジュール基板１０に水平な方向と垂直な方向に対して安定的に固定される。
【００４１】
なお、本実施形態のチューナモジュールは２個のアンテナコネクタを備えているが、１個もしくは３個以上としてもよいことは勿論である。
【００４２】
次に、補強部材４０について説明する。
チューナケース２０は、アンテナコネクタ３１，３２との接面ではアンテナコネクタ３１，３２の高さより高い。しかし、チューナモジュール基板１０の大部分とそれにマウントされたＩＣ１０−１〜１１−３，１２−１〜１２−３等の電気部品の上面ではアンテナコネクタ３１，３２の高さよりも低い構造となっている。
このためにアンテナコネクタ３１，３３とチューナケース２０の接合面から少なくともアンテナコネクタ３１，３２の露出する芯線部幅の分だけを覆う形状（図５参照）を持つ補強部材４０（補強部の一例）を用い、チューナケース２０とカシメ接合によって固定させる。
【００４３】
本実施形態の補強部材４０は、折り曲げ部２０Ａを覆うよう該折り曲げ部２０Ａの形状に対応しておおよそ２段の階段形状を有し、一枚の金属板を連続して垂直に折り曲げて形成してある。
補強部材４０は、基板に平行な面である第１水平部４１Ａと第２水平部４１Ｂと、基板に垂直な面である第１垂直部４２Ａ，第２垂直部４２Ｂと、第１水平部４１Ａの側面を垂直に折り曲げた側面部４３Ａ，４３Ｂを有している。
また補強部材４０の第１水平部４１Ａのアンテナコネクタの接合面側の一辺の中央から折り曲げて、挿入部４４を形成し、挿入部４４から側面部４３Ａ，４３Ｂまでは開口されている。挿入部４４の一部には、切片部４４ａが形成されている。
【００４４】
まず、第１水平部４１Ａの両側面を垂直に折り曲げて側面部４３Ａ，４３Ｂを形成する。次に、第１水平部４１Ａから第１垂直部４２Ａを折り曲げ、側面部４３Ａ，４３Ｂの端部に設けた被係止部４７−１，４７−２の各々を、第１垂直部４２Ａの対応する位置に形成した挿入孔に挿入し、第１垂直部４２Ａを第１水平部４１Ａに対し垂直な状態に係止する。
【００４５】
補強部材４０の側面部４３Ａ，４３Ｂのチューナケース２０と当接する端部には、チューナモジュール基板１０に形成した挿入孔に挿入するための挿入子４６−１，４６−２が設けられ、同じく第２垂直部４２Ｂには、挿入子４９−１〜４９−４が設けられている。
また、補強部材４０の側面部４３Ａ，４３Ｂは、チューナケース２０と当接する端部に、切り込み部４５−１，４５−２が形成されている。
また、補強部材４０の第１垂直部４２Ａは、チューナケース２０と当接する端部に、側方に突出した被係止部４８−１，４８−２が形成されている。
【００４６】
補強部材４０をチューナケース２０の折り曲げ部２０Ａに装着する際、まず補強部材４０の挿入部４４を、折り曲げ部２０Ａに形成された挿入孔２４に挿入し、切片部４４ａをカシメ部２４ａ，２４ｂの間に挿入する。補強部材４０の切片部４４ａが、カシメ部２４ａ，２４ｂによってカシメ接合される。
同時に、補強部材４０の側面部４３Ａ，４３Ｂの切り込み部４５−１，４５−２の各々に、チューナケース２０の側部ＳＤ１の端部に形成された切り欠き部２２−１，２２−２が挿入し、切り込み部４５−１，４５−２と切り欠き部２２−１，２２−２が噛み合って固定される。
また、補強部材４０の第１垂直部４２Ａの被係止部４８−１が、チューナケース２０の側部ＳＤ４の切り込み部２７に挿入する。そして、チューナケース２０の切り込み部２７と連続して形成されたカシメ部２７ａによって、被係止部４８−１がカシメ接合される。反対側の被係止部４８−２についても同様に、被係止部４８−２がチューナケース２０の側部ＳＤ２の図示しない切り込み部に挿入し、図示しないカシメ部によってカシメ接合される。
このとき、補強部材４０の側面部４３Ａ，４３Ｂの挿入子４６−１，４６−２と第２垂直部４２Ｂの挿入子４９−１〜４９−４が、チューナモジュール基板１０の対応する挿入孔にそれぞれ挿入する。
このようにして、補強部材４０がチューナケース２０の折り曲げ部２０Ａに固定される。
【００４７】
図２，図３からわかるように、チューナケース２０の折り曲げ部２０Ａは、アンテナコネクタ３１，３２の接合面（側部ＳＤ１）に垂直の方向で必ずしも強度が強いとはいえない。折り曲げ部２０Ａを覆うように補強部材４０を配置することにより、上記折り曲げ部２０Ａのたわみを防止し、更には薄いチューナケース２０の捻れ方向の強度を補う効果がある。
なお、チューナケース２０の材料や板厚などの条件によっては十分な強度が得られる場合があり、その場合には補強部材４０はなくてもよい。補強部材４０を用いないことにより、補強部材４０を製作する工程及び補強部材４０をチューナケース２０に組み立てる工程が省略でき、組み立て時間の短縮とコスト削減につながる。
【００４８】
なお、ベース５０には、切り起こし部５３−１〜５３−４が形成されており、切り起こし部５３−１〜５３−４が、チューナモジュール基板１０の貫通孔を介して突出するチューナケース２０の一部（挿入子等）に当接する。切り起こし部５３−１〜５３−４は板バネのように機能し、チューナモジュール基板１０の高周波的なグラウンド電位（グラウンドライン）を当該チューナモジュール基板１０の所定の箇所においてベース５０に安定に接触させると共に、チューナモジュール基板１０を振動による損傷から保護する。
【００４９】
本実施形態においては、チューナケース２０において、アンテナコネクタ３１，３２との間の部分に折り曲げ部２０Ａ（側部ＳＤ１）を設けて、チューナモジュール基板１０に機械的及び電気的に接続できる構造になっている。
これによって、アンテナコネクタ３１，３２が接続されるチューナモジュール基板１０上の回路にチューナケース２０との電気的に接続される。一般に、チューナモジュール基板が金属ケースに覆われるチューナモジュールでは、ケース部の電位が最も均一であり、テレビジョン受像機や録画機器において何らかの方法で最もインピーダンスの低いグランド電位の部分に接続して使用される。
【００５０】
したがって、チューナケース２０も同様にグラウンド電位に接地される。これによってアンテナコネクタ３１，３２が接続されるチューナモジュール基板１０上の回路はグランド電位を持ったチューナケース２０の折り曲げ部２０Ａ（側部ＳＤ１）によって分断され、アンテナコネクタ３１，３２が接続されるチューナモジュール基板１０上の回路間のアイソレーションが良くなる。
例えば、衛星放送波と地上テレビジョン放送波の場合は帯域が異なるが、回路の形態によっては信号が回り込んだり、帯域外の混信を起こしたりするのを防ぐことができる。また、一方のアンテナコネクタで放送波の入力を行い、他方のアンテナコネクタから出力して他の機器に継続接続する構成の場合では、同一周波数でのアイソレーションが向上する。
【００５１】
本実施形態では、加えて、補強部材４０によってチューナケース２０の折り曲げ部２０Ａの上面を覆う形状にできるので、飛来するノイズの除去および回路間の干渉も同時に抑制することができる。例えば、アンテナコネクタ３１，３２とチューナモジュール基板１０との接合部分へのノイズ混入や、２つのアンテナコネクタ３１，３２間において一方のアンテナコネクタの接合面で漏出した信号が他方のアンテナコネクタの接合部分に混入することが抑えられる。
【００５２】
以上説明したように、本実施形態によれば、補強部材４０をチューナケース２０と別部品として加え、カシメ加工によって補強部材４０をチューナケース２０に固定する構造によって、機械的な強度だけではなく、電気的にも性能を向上させることができる。
【００５３】
また、アンテナコネクタ３１,３２の接合面の高さ寸法（ｈ１）は、従来の寸法と変わらないが、アンテナチューナ２０のそれに対応する部分は一部分のみ、すなわち折り曲げ部２０Ａのみに留まっている。折り曲げ部２０Ａを除いてチューナケース２０を薄型化したことにより、これにベース５０とカバー１を加えたチューナモジュール１（≒チューナケース２０）の大部分の高さ（ｈ２）を、アンテナコネクタ３１,３２の接合面の高さｈ１よりも低く設計することができる。図５に示すように、本実施形態では、チューナモジュール１の大部分の高さｈ２を、アンテナコネクタ３１,３２の接合面の高さｈ１より高さｈ３だけ低くなっている。
【００５４】
［１−２．受信装置の構成例］
図６は、本実施形態に係るチューナモジュールを採用した受信装置の構成例を示す図である。
この受信装置１００は、例えば地上テレビジョン放送波信号及び衛星放送波信号を受信可能に構成される。
受信装置１００は、図６に示すように、放送波信号を受信する受信アンテナ１１０、周波数変換機能を含むチューナモジュール１２０、および復調部１３０を有する。チューナモジュール１２０として、前述した実施形態に係るチューナモジュール１を採用することが可能である。受信装置１００は、地上テレビジョン放送波信号及び衛星放送波信号の２つの信号を受信できるよう、２系統の信号処理系統を有する。第１系統は地上テレビジョン放送波信号を受信する系統であり、第２系統は衛星放送波信号を受信する系統である。
【００５５】
受信装置１００の第１系統は、受信アンテナ１１０Ａ、アンテナコネクタ１２１Ａ、フィルタ（ＦＬＴ）１２２Ａ、低雑音増幅器（Low Noise Amplifier：ＬＮＡ）１２３Ａ、チューナ部１２４Ａ、復調部１３０Ａから構成される。
また、受信装置１００の第２系統は、受信アンテナ１１０Ｂ、アンテナコネクタ１２１Ｂ、フィルタ（ＦＬＴ）１２２Ｂ、低雑音増幅器（ＬＮＡ）１２３Ｂ、チューナ部１２４Ｂ、復調部１３０Ｂから構成される。
【００５６】
受信装置１００の第１系統と第２系統の各処理部は、同様の機能を有しているので、第１系統を中心に説明する。
受信装置１００の第１系統におけるアンテナコネクタ１２１Ａは、チューナモジュール１のアンテナコネクタ３１に相当する。
フィルタ１２２Ａは、受信する放送波に応じてハイパスフィルタ（ＨＰＦ）、バンドパスフィルタ（ＢＰＦ）、あるいはローパスフィルタ（ＬＰＦ）が適宜適用される。
ＬＮＡ１２３Ａは、フィルタ１２２Ａを介した放送波信号を増幅してチューナ部１２４Ａに供給する。
チューナ部１２４Ａは、受信信号が地上テレビジョン放送波信号の場合、中間周波信号に周波数変換して復調部１３０Ａに出力する。チューナ部１２４Ａとして、ＩＣ１１−１〜１１−３が適用される。
復調部１３０Ａは、受信信号がデジタル地上テレビジョン放送波信号の場合、中間周波信号の映像信号および音声信号を復調し、トランスポートストリームを生成する。また復調部１３０Ａは、受信信号がアナログ地上テレビジョン放送波信号の場合、中間周波信号の映像信号および音声信号を復調し、アナログ映像信号およびアナログ音声信号を生成する。
【００５７】
また、受信装置１００の第２系統について、該第２系統の各処理部のうち第１系統の対応する処理部と異なる点を説明する。
受信装置１００の第２系統におけるアンテナコネクタ１２１Ｂは、チューナモジュール１のアンテナコネクタ３２に相当する。
チューナ部１２４Ｂは、受信信号が衛星放送波信号の場合、ベースバンド信号に周波数変換して復調部１３０Ｂに出力する。チューナ部１２４Ｂとして、ＩＣ１２−１〜１２−３が適用される。
復調部１３０Ｂは、受信信号が衛星放送波信号の場合、ベースバンド信号の映像信号および音声信号を復調し、トランスポートストリームを生成する。
【００５８】
本例の受信装置によれば、第１の実施形態に係るチューナモジュール１を採用することから、チューナモジュールを主面である回路基板１５０（図５参照）に搭載したときの全体の厚さ寸法に関し、アンテナコネクタ３１，３２との接合部分（折り曲げ部２０Ａ）を除いてチューナモジュール基板１０の厚さ寸法と同じ寸法に抑えることができる。したがって、チューナモジュールが搭載されるたとえばＴＶセットの形状も薄くすることができる。
このため、たとえばＴＶセットから外部に露出させる入力コネクタの上下方向の配置に自由度が広がるので、実際にアンテナケーブルを接続する作業を容易にすることができる。
【００５９】
なお、図６の例では処理部が２系統に分かれている受信装置１００の例を説明したが、受信装置の処理部が１系統のみであってもよい。
【００６０】
［１−３．テレビジョン受像機に適用した例］
図７〜図９を参照して、本開示のチューナモジュールと搭載する受信装置をテレビジョン受像機に適用した例（受信装置の応用例）を説明する。
【００６１】
図７は、本実施形態に係るチューナモジュールを実装した回路基板の構成例を示す平面図である。
回路基板１５０は、ＴＶ用の回路基板の一例である。
チューナモジュール１は、チューナ部（ＩＣ）が金属のチューナケース２０に収納されたモジュール構成であり、他のオーディオ端子（オーディオ入力端子１５１，オーディオ出力端子１５２）、ビデオ端子（ビデオ入力端子１５３，ビデオ出力端子１５４）、ネットワーク通信用端子１５５と同じ方向で外部に突出するレイアウトになっている。チューナモジュール１、オーディオ端子、ビデオ端子類は、回路や端子を集約した所謂モジュール構造になっており、マウントマシンによる部品実装とは別の工程で、簡便に回路基板１５０に搭載する方式をとる。
【００６２】
チューナモジュール１、オーディオ端子、ビデオ端子類をモジュール化して部品を多機能、集約しているので、オペレータの手による部品搭載方式を採ったとしても短時間で部品の搭載が行えるので、工程のタクトタイムに大きな支障を与えることがない。
【００６３】
図８は、本実施形態に係るチューナモジュールを実装した回路基板を備えるテレビジョン受像機の構成例を示す正面図及び側面図である。
図９は、本実施形態に係るチューナモジュールを実装した回路基板を備えるテレビジョン受像機の構成例を示す概略断面図である。
【００６４】
テレビジョン受像機１６０の表示部１６１（主面）には、液晶表示装置やＬＥＤ表示装置等のフラットパネルディスプレイ（ＦＰＤ：Flat Panel Display）が用いられる。本例の表示部１６１の画面サイズは、約４０インチとしているが、この例に限られるものではない。
【００６５】
テレビジョン受像機１６０の正面図及び側面図（透視図）から明らかな様に、テレビジョン受像機１６０の奥行きは、その安定した自立性や重心の安定化などの理由で、表示部１６１上部からスタンド部１６２に向かって段々と厚くなっている。
すなわち、テレビジョン受像機１６０内部に搭載される表示部１６１を含む部分の厚さを構成する要素は、以下のとおりである。
・Ａ部：表示部１６１（ＦＰＤ）
・Ｂ部：表示部１６１（ＦＰＤ）＋回路基板１５０
・Ｃ部：表示部１６１（ＦＰＤ）＋回路基板１５０＋コネクタ部
【００６６】
画面サイズが大きくなる傾向にあるテレビジョン受像機では、その機械的な重心が高い位置にあると転倒の恐れがあるので、できるだけ低い位置に重心を持たせたい。そこで、厚みのある部品や重い部品をテレビジョン受像機下部に配置するのが都合がよい。
さらに外部との接続に用いられるケーブルが接続されるコネクタ部は、本実施形態に係るアンテナコネクタ３１，３２も含めて一般に１０ｍｍ程度の外径（高さ）がある。図８右側のテレビジョン受像機１６０の奥行きの最薄部（Ａ部：例えば２５ｍｍ）に納めるためにはその他の部品厚さの合計は１５ｍｍしか許されず、表示部１６１本体の薄さを考えると、ほとんど不可能である。
【００６７】
したがって、図９に示すように、部分的にはコネクタ部（アンテナコネクタ３１，３２）高さの寸法を有しながらも、それ以外の部分ではコネクタ部高さを下回る薄さに設計されたチューナモジュールならば都合がよい。上述した実施形態では、チューナモジュール１の最薄部（高さｈ２）は６ｍｍ程度に抑えることができており、テレビジョン受像機１６０の下方向にアンテナコネクタが配される構造に配置すれば、重心を下げ上部に向かって奥行きが薄くなるテレビジョン受像機の設計に好適である。
【００６８】
図９に示す例では、テレビジョン受像機１６０のバックパネル１６３を加工して、高さＨだけ薄くすることが可能である。この高さＨは、図５に示したベース５０の底面からアンテナコネクタ３１（３２）までの高さｈ１と、チューナモジュール１のコネクタ接合部以外の高さｈ２との差ｈ３に相当する。
【００６９】
本実施形態に係るチューナモジュールの構造は、部分的に強度を高めつつ全体として薄型を実現しているので、現在の液晶表示パネルを用いたテレビジョン受像機（いわゆる液晶テレビ）に代表される薄型テレビジョン受像機の構造に適用して好適である。
【００７０】
加えて、本実施形態に係るチューナケースによれば、補強部材がチューナケース（折り曲げ部）を覆う部分、即ち金属部分が２重になる箇所において、最外部にあたる補強部材に電気的な外周シールドケースと同じ効果を期待できる。そして、その内側にあたるチューナケース（折り曲げ部）は複雑な切り起こし形状を持たせて回路基板との接触をさせることができるので、例えば複数のアンテナ入力用のコネクタを用いる場合などでは、アンテナコネクタ間のアイソレーションを機構的なシールド構造で改善することができる。同時に回路基板との接続性を強固にし、コネクタ部の周辺の機械的な強度が向上する。
【００７１】
＜２．第２の実施形態＞
図１０〜図１２を参照して、本開示の第２の実施形態に係るチューナモジュールについて説明する。
第２の実施形態は、第１の実施形態に係るチューナモジュール（図１参照）に対して、チューナケース全体（コネクタ接合部の高さ）をアンテナコネクタの高さ（外径）より低い構造とした例である。第２の実施形態は、では、チューナモジュール基板に実装されるＩＣを一つにし、チューナケースに折り曲げ部を設けず、かつ補強部材、ベース並びにカバーを使用しない簡素な構成としている。
【００７２】
図１０は、本開示の第２の実施形態に係るチューナモジュールの上面側から見た構成例を示す斜視図である。
図１１は、本開示の第２の実施形態に係るチューナモジュールの上面側から見た構成例を示す分解斜視図である。
図１２は、本開示の第２の実施形態に係るチューナモジュールの底面側からみた構成例を示す斜視図である。
【００７３】
第２の実施形態に係るチューナモジュール２００は、チューナ機能部が形成されたチューナモジュール基板２１０と、チューナモジュール基板２１０を内蔵するように保持し、シールドケースとしての機能を有するチューナケース２２０（ケース体）を有する。
また、チューナモジュール２００は、チューナケース２２０に固定され、芯線３６がチューナケース２２０に内蔵されるチューナモジュール基板２１０に接続される少なくとも一つのアンテナコネクタ２３０を有する。アンテナコネクタ２３０はおよそ円柱形状をしており、一方の底面部にアンテナケーブルが接続され、他方の底面部（接合面）がチューナケース２２０と接合している。
【００７４】
まず、チューナモジュール基板２１０について説明する。
チューナモジュール基板２１０は、その主面２１０ａに例えばテレビジョン（ＴＶ）チューナモジュール機能部としてのＩＣ（回路）２１３や電子部品２１４が形成（搭載）されている。このチューナモジュール基板２１０は、図７に示すような回路基板１５０上に実装される。
チューナモジュール基板２１０は、チューナケース２２０の収容空間２２７内に収まる大きさの矩形状に形成されている（図１２参照）。チューナモジュール基板２１０は、アンテナコネクタ２３０の芯線３６が挿通されるスルーホール２１５Ａが形成されている。
【００７５】
チューナモジュール基板２１０は、上述したように、矩形状を有し、周囲の縁部の一部に例えば４個の被係止部２１１−１〜２１１−４が形成されている。
この被係止部２１１−１〜２１１−４は、チューナモジュール基板２１０がチューナケース２２０の収容空間２２７に収容される状態で、後述するチューナケース２２０側に形成される４個の係止部２２５−１，２２５−２，・・・に係止される。それにより、チューナモジュール基板２１０をチューナケース２２０の収容空間２２７内の安定な位置に保持させる。
【００７６】
さらに、チューナモジュール基板２１０は、アンテナコネクタ２３０の接合面とチューナケース２２０を嵌合させるカシメ加工部がチューナモジュール基板２１０に干渉するのを避けるため、基板の端部に切り込み部２１６が形成されている。
チューナモジュール基板２１０にこの切り込み部２１６を持たせることによって、アンテナコネクタ２３０のより安定した位置決めができるようになっている。
【００７７】
また、チューナモジュール基板２１０の被係止部２１１−１〜２１１−４の各々は、チューナケース２２０に形成される挿入子２２５ａ−１，２２５ａ−２，・・・が挿入される挿入孔２１２−１，２１２−２，・・・，２１２−４が形成されている。
チューナモジュール基板２１０は、挿入孔２１２−１，２１２−２，・・・，２１２−４に挿入子２２５ａ−１，２２５ａ−２，・・・が挿入される。そして、カシメ部２２９−１，２２９−２，・・・をカシメて被係止部２１１−１〜２１１−４が係止されることにより、チューナモジュール基板２１０がチューナケース２２０の収容空間２２７内に内含される。
【００７８】
次に、チューナケース２２０について説明する。
チューナケース２２０は、一面側（底面側）が開口した枠型の直方体形状に形成されている。
チューナケース２２０は、少なくとも一つのアンテナコネクタ２３０がカシメ嵌合によって固定されている。
チューナケース２２０は、その厚さ（高さｈ２´）は、後述するように、アンテナコネクタ２３０の外径より薄くなるように形成されている。この場合、アンテナコネクタ２３０は外観が扁平となるように形成されていてもよい。
チューナケース２２０は、チューナモジュール基板２１０を覆うように、その収容空間２２７内に収容する。
【００７９】
本実施形態のシールドケースとして機能するチューナケース２２０は、第１の実施形態と同様の材料を用いることができる。
【００８０】
チューナケース２２０は、チューナモジュール基板２１０と平行な面を持ち固定状態で上面となる矩形の基面部ＢＳと、基面部ＢＳの縁部に形成された該基面部ＢＳとほぼ垂直な面を持つ側部ＳＤ１，ＳＤ２，ＳＤ３，ＳＤ４を有する略枠型に形成されている。
基面部ＢＳと、側部ＳＤ１，ＳＤ２，ＳＤ３，ＳＤ４は、一つの板状の金属を加工して形成される。まず、基面部ＢＳの一端面をチューナモジュール基板２１０側へ垂直まで折り曲げて側部ＳＤ２，ＳＤ４を形成し、次に基面部ＢＳの一端面をチューナモジュール基板２１０側へ垂直まで折り曲げることで側部ＳＤ１，ＳＤ３を形成し、略枠型のチューナケース２２０が形成される。
【００８１】
側部ＳＤ１と当接する側部ＳＤ２の端部には切片状の係止部２２４−４が形成され、側部ＳＤ１と当接する側部ＳＤ４の端部には切片状の係止部２２４−１が形成されている。側部ＳＤ１をチューナモジュール基板２１０側へ折り曲げると、側部ＳＤ２の係止部２２４−４と側部ＳＤ４の係止部２２４−１が側部ＳＤ１の対応するそれぞれの挿入孔へ挿通して、側部ＳＤ１が係止される。
同様に、側部ＳＤ３と当接する側部ＳＤ２の端部には切片状の係止部２２４−３が形成され、側部ＳＤ３と当接する側部ＳＤ４の端部には切片状の係止部２２４−２が形成されている。側部ＳＤ３をチューナモジュール基板２１０側へ折り曲げると、側部ＳＤ２の係止部２２４−３と側部ＳＤ４の係止部２２４−２が側部ＳＤ３の対応するそれぞれの挿入孔へ挿通して、側部ＳＤ３が係止される。
【００８２】
基面部ＢＳの略中央部には、基面部ＢＳの一部を内方に切り起こした切り起こし部２２８が形成されている（図１２参照）。この切り起こし部２２８は、チューナモジュール基板２１０に形成されたスルーホール２１５Ｂに挿通（貫通）され、基板グランドに接続された状態で半田等により固定される。なお、基面部ＢＳの強度向上を目的として、切り起こし部２２８を２箇所以上に設けてもよい。
【００８３】
側部ＳＤ１には、アンテナコネクタ２３０の芯線３６がチューナケース２２０内に臨むように挿入孔２２２（コネクタ固定部）が形成されている。
また、側部ＳＤ１には、アンテナコネクタ２３０の接合面に設けられたカシメ部２３５ａとカシメ部２３５ｂを挿通し、アンテナコネクタ２３０をカシメ嵌合によって固定するための挿入孔２２１ａ，２２１ｂが形成されている。２つのカシメ部２３５ａ，２３５ｂは、芯線３６を中心に対向している。
【００８４】
アンテナコネクタ２３０は、接合面に正面形状が円弧状で、側面形状が凸状の挟持部２３７を有している。
アンテナコネクタ２３０のカシメ部２３５ａ，２３５ｂは、接合面の正面から見た形状が円弧状で、側面からの形状が凸状である。
このカシメ部２３５ａ，２３５ｂは、チューナモジュール基板２１０に対しておおよそ垂直な方向に延在するよう形成されている。すなわち、チューナモジュール基板２１０に平行な面を基準面（０度）とした場合、アンテナコネクタ接合面を正面から見てカシメ部２３５ａは一例として−１８０度＋β（２α＞β）度、カシメ部２３５ｂは０度−β度の位置に配置される。カシメ部２３５ａ，２３５ｂにおけるチューナモジュール基板２１０に垂直方向成分の長さは、第１の実施形態に係るアンテナコネクタ３１，３２（図１〜図５参照）のカシメ部３５ａ，３５ｂにおける同基板に垂直方向成分の長さよりも短く形成されている。
【００８５】
アンテナコネクタ２３０をチューナケース２２０にカシメ嵌合したとき、カシメ部２３５ａ，２３５ｂと挟持部２３７により基面部ＢＳが挟持されるので、チューナケース２２０の垂直方向の位置（高さ）が固定される。カシメ部２３５ａ，２３５ｂと挟持部２３７の３点を使用してアンテナコネクタ２３０をチューナケース２２０に固定することにより、アンテナコネクタ２３０がガタつかない。さらに、アンテナコネクタ２３０の挟持部２３７とチューナケース２２０の基面部ＢＳを半田付けすることで、より確実に固定できる。
【００８６】
また、側部ＳＤ２，ＳＤ４には、チューナモジュール基板２１０の４個の被係止部２１１−１〜２１１−４が係止される係止部２２５−１，２２５−２，・・・が形成されている。
４個の係止部２２５−１，２２５−２，・・・は、４個の挿入子２２５ａ−１，２２５ａ−２，・・・と、４個のカシメ部２２９−１，２２９−２，・・・を有し、被係止部２１１−１〜２１１−４を所定の高さで支持する。被係止部２１１−１〜２１１−４の挿入孔２１２−１，２１２−２，・・・，２１２−４に挿入子２２５ａ−１，２２５ａ−２，・・・を案内して、２２５ａ−１，２２５ａ−２，・・・と基板グランドが接続する。
このような構成を採用することにより、チューナモジュール基板２１０をより安定に保持し固定することができる。この構成は、第１の実施形態のチューナモジュール基板１０の被係止部１３−１〜１３−３を係止する構造と同じである。
【００８７】
また、側部ＳＤ１の両端部には挿入子２２６−１，２２６−４が形成され、側部ＳＤ１に対向する側部ＳＤ３の両端部には挿入子２２６−２，２２６−３が形成されている。挿入子２２６−１〜２２６−４が、回路基板１５０の対応する挿入孔に挿通され、半田等によりチューナケース２２０が回路基板１５０に固定される。
【００８８】
ここで、チューナモジュール２００の厚さ（高さ）について説明する。
本実施形態では、側部ＳＤ１及び対向する側部ＳＤ３自体がチューナケース２２０をチューナモジュール基板２１０上に支持する支持部として機能するように、その側部の高さｈ２´が設定されている。本実施形態では、高さｈ２´は、アンテナコネクタ２３０の高さ（外径）より低い。
【００８９】
また、第１の実施形態（図５参照）ではチューナケース２０の折り曲げ部２０Ａにアンテナコネクタ３２のカシメ部３５ａ，３５ｂを嵌合しており、本実施形態のアンテナコネクタ２３０のカシメ部２３５ａ，２３５ｂより基板に垂直な方向の長さが長い。カシメ部２３５ａ，２３５ｂに対応するチューナケース２２０の挿入孔２２１ａ，２２１ｂも同様である。そのため、第１の実施形態では、この折り曲げ部２０Ａの高さの分だけ、チューナモジュールの薄型化が実現できなかった。
【００９０】
これに対し、本実施形態のアンテナコネクタ２３０では、カシメ部２３５ａ，２３５ｂをアンテナコネクタ３２のカシメ部３５ａ，３５ｂよりも基板に垂直な方向の長さを短くし、かつ挟持部２３７（高さｈ４）がチューナケース２２０の基面部ＢＳの上面に当接するように設計している。
それにより、本実施形態では、チューナケース２２０の基面部ＢＳの上面に位置するアンテナコネクタ２３０の挟持部２３７（高さｈ４）を除き、チューナケース２２０の基面部ＢＳの上面を平面に構成できる。その結果、チューナモジュール２００全体が薄型化される。
【００９１】
なお、本実施形態では、アンテナコネクタの接合面に対向する２つのカシメ部を設けたが、アンテナコネクタがチューナケースに安定的にカシメ固定されるのであればこれに限るものではなく、例えばカシメ部を一つとしてもよい。
【００９２】
また、本実施形態におけるアンテナコネクタのカシメ部及び挟持部、並びにチューナケースの挿入孔の構造を、第１の実施形態におけるアンテナコネクタとチューナケースの折り曲げ部に適用することも可能である。
【００９３】
また、第１の実施形態では、アンテナコネクタのカシメ部と芯線を挿入する挿入孔としてチューナケースに一つの大きな孔を形成したが、第１の実施形態においても第２の実施形態のように、チューナケースにアンテナコネクタのカシメ部と芯線の各々について挿入孔を設けてもよい。この場合は、チューナモジュールを薄型化してもチューナケースの側部の強度が保てる。
逆に、第２の実施形態において第１の実施形態のように、チューナケースにアンテナコネクタのカシメ部と芯線の全体が挿入される一つの大きな挿入孔を設けてもよい。この場合は、チューナケースの側部の加工が容易になる。
【００９４】
［変形例］
次に、第２の実施形態に係るチューナモジュールの変形例を説明する。
この変形例は、第１の実施形態のようなＩＣ（回路）１１−１〜１１−３，１２−１〜１２−３を実装したチューナモジュール基板を備え、第２の実施形態に係るアンテナコネクタを２つ適用したチューナモジュール例である。以下では、第１の実施形態（図１〜図５参照）又は第２の実施形態（図１０〜図１２参照）異なる部分、例えばチューナケースとアンテナケーブルの接合とチューナケースの高さやチューナケースの構造などに注目して説明する。
【００９５】
図１３は、本開示の第２の実施形態の変形例に係るチューナモジュールの上面側から見た構成例を示す斜視図である。
図１４は、本開示の第２の実施形態に係るチューナモジュールの構成例を示す概略断面図である。
【００９６】
本変形例に係るチューナモジュール３００は、ＩＣ（回路）１１−１〜１１−３，１２−１〜１２−３を備えチューナ機能部が形成されたチューナモジュール基板１０Ａと、チューナモジュール基板１０Ａを内蔵するように保持し、シールドケースとしての機能を有するチューナケース２２０Ａ（ケース体）を有する。
また、チューナモジュール３００は、チューナケース２２０Ａに固定され、芯線３６がチューナケース２２０Ａに内蔵されるチューナモジュール基板１０Ａに接続される二つのアンテナコネクタ２３０Ａ，２３０Ｂを有する。アンテナコネクタ２３０Ａ，２３０Ｂの各々は、およそ円柱形状をしており、アンテナコネクタ２３０と同じ構造である。
また、チューナケース２２０Ａは、ベース５０Ａの上に配置されるとともに、上部はカバー６０Ａで覆われており、チューナモジュール基板１０Ａが保護される構造とされている。
【００９７】
チューナケース２２０Ａは、アンテナコネクタとの接合部分を除いて、チューナケース２２０（図１参照）とほぼ同様の構造である。
ベース５０Ａは、ベース５０とほぼ同様の構造である。
カバー６０Ａは、カバー６０とほぼ同様の構造である。カバー６０Ａは、チューナケース２２０Ａを覆う大きな平面部を有している。図１３の例では、カバー６０Ａを透視して記載しているので、カバー下方のチューナケース２２０ＡのＩＣ回路用に空けた孔が見えた状態となっている。
【００９８】
チューナケース２２０Ａとアンテナコネクタ２３０Ｂの接合面３３との接合形態は、図１０〜図１２に示したチューナケース２２０とアンテナコネクタ２３０Ｂの接合面３３との接合形態と同じである。アンテナコネクタ２３０Ａも同様である。
【００９９】
アンテナコネクタ２３０Ｂをチューナケース２２０Ａにカシメ嵌合したとき、カシメ部２３５ａ，２３５ｂと挟持部２３７によりチューナケース２２０Ａの基面部ＢＳが挟持されるので、チューナケース２２０Ａの垂直方向の位置（高さ）が固定される。カシメ部２３５ａ，２３５ｂと挟持部２３７の３点を使用してアンテナコネクタ２３０Ｂをチューナケース２２０Ａに固定することにより、アンテナコネクタ２３０Ｂがガタつかない。さらに、アンテナコネクタ２３０Ｂの挟持部２３７とチューナケース２２０Ａの基面部ＢＳを半田付けすることで、より確実に固定できる。
【０１００】
本実施形態のアンテナコネクタ２３０Ａ，Ｂでは、上述したように、カシメ部２３５ａ，２３５ｂを第１の実施形態に係るカシメ部３５ａ，３５ｂ（図５参照）よりも基板に垂直な方向の長さを短くし、かつ挟持部２３７（高さｈ４）がチューナケース２２０Ａの基面部ＢＳの上に出るように設計している。
それゆえ、チューナケース２２０Ａの基面部ＢＳの上面に位置するアンテナコネクタ２３０Ｂの挟持部２３７（高さｈ４）を除き、チューナケース２２０Ａの基面部ＢＳの大部分を平面に構成できる。すなわち、チューナモジュール３００の大部分の厚み（高さ）を、チューナモジュール１の最薄部（高さｈ２）と同じ高さにできる。その結果、第１の実施形態と比べて、チューナモジュール３００全体を薄型化できる。これは、チューナモジュール３００を、テレビジョン受像機１６０等のセット側に組み込んだときにその薄型化の効果が顕著に現れる。
【０１０１】
なお、図１３，図１４に示した第２の実施形態の変形例に係るチューナモジュールは２個のアンテナコネクタを備えているが、１個もしくは３個以上としてもよいことは勿論である。
【０１０２】
ところで、上述した第１及び第２の実施形態におけるアンテナコネクタのカシメ部及び挟持部、並びにチューナケースの挿入孔の構造を円弧状としたが、カシメ固定したときに安定的に固定されるものであれば、各部が直線状など他の形状であってもよい。また、アンテナコネクタをチューナケースに固定する方法は、カシメ固定に限らず、半田による固定、あるいはその両方を用いてもよい。
【０１０３】
なお、本開示は以下のような構成もとることができる。
（１）
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、を有し、
前記アンテナコネクタの前記ケース体との接合面には、凸状の固定部及び挟持部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されたとき、前記アンテナコネクタの固定部と挟持部により、前記ケース体の垂直面における前記挿入孔から前記水平面までの部分が挟持される
チューナモジュール。
（２）
前記アンテナコネクタの前記接合面には、前記芯線を中心に対向する２つの固定部が形成されている
前記（１）に記載のチューナモジュール。
（３）
前記アンテナコネクタの接合面に形成された固定部及び挟持部は、前記接合面の正面からみた形状が円弧状である
前記（１）又は（２）に記載のチューナモジュール。
（４）
前記ケース体は、
前記チューナモジュール基板に平行であって前記水平面としての基面部と、
前記基面部の縁部に垂直に形成された前記垂直面としての側部と、
を有する枠型に形成されており、
前記側部が、前記アンテナコネクタの高さより低い高さをもって形成されている
前記（１）から（３）のいずれかに記載のチューナモジュール。
（５）
前記ケース体は、
該ケース体の一端面から前記チューナモジュール基板に対して垂直に折り曲げられた前記垂直面としての側部が形成された折り曲げ部、を有し、
前記ケース体の前記折り曲げ部以外の部分の高さが、前記折り曲げ部の前記側部の高さより低い高さをもって形成されている
前記（１）から（３）のいずれかに記載のチューナモジュール。
（６）
前記ケース体が配置されて前記チューナモジュール基板のグランドラインが接続されるベース、を有する
前記（５）に記載のチューナモジュール。
（７）
前記ケース体の折り曲げ部の形状に合わせて形成され、該折り曲げ部を覆う補強部材、を有し、
前記補強部材の前記ケース体と当接する端部には係止部が形成され、該係止部により前記補強部材が前記ケース体に係止されている
前記（６）に記載のチューナモジュール。
（８）
前記ケース体は、導電性を有する金属で構成される
前記（１）から（７）のいずれかに記載のチューナモジュール。
（９）
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、を有し、
前記アンテナコネクタの前記ケース体との接合面には、凸状の固定部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されて、前記アンテナコネクタの固定部が、前記ケース体の垂直面に形成された前記挿入孔にカシメられている
チューナモジュール。
（１０）
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、
を有するチューナモジュールと、
前記チューナモジュールが実装される回路基板と、を含み、
前記アンテナコネクタの前記ケース体との接合面には、凸状の固定部及び挟持部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されたとき、前記アンテナコネクタの固定部と挟持部により、前記ケース体の垂直面における前記挿入孔から前記水平面までの部分が挟持される
受信装置。
（１１）
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、
を有するチューナモジュールと、
前記アンテナコネクタの前記ケース体との接合面には、凸状の固定部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されて、前記アンテナコネクタの固定部が、前記ケース体の垂直面に形成された前記挿入孔にカシメられている
受信装置。
【０１０４】
以上、本開示は上述した各実施の形態に限定されるものではなく、特許請求の範囲に記載された要旨を逸脱しない限りにおいて、その他種々の変形例、応用例を取り得ることは勿論である。
すなわち、上述した各実施形態の例は、本開示の好適な具体例であるため、技術的に好ましい種々の限定が付されている。しかしながら、本開示の技術範囲は、各説明において特に本開示を限定する旨の記載がない限り、これらの形態に限られるものではない。例えば、以下の説明で挙げる使用材料とその使用量、処理時間、処理順序および各パラメータの数値的条件等は好適例に過ぎず、また説明に用いた各図における寸法、形状および配置関係も概略的なものである。
【符号の説明】
【０１０５】
１…チューナモジュール、１０，１０Ａ…チューナモジュール基板、２０…チューナケース、２０Ａ…折り曲げ部、２０ａ−１〜２０ａ−５…挿入子、２１−１，２１−２…挿入孔、２２−１，２２−２…切り欠き部、２３…水平面、２４…挿入孔、２４ａ，２４ｂ…カシメ部、２５…位置決め部、２６…柱部、２７…切り込み部、２７ａ…カシメ部、３１，３２…アンテナコネクタ、３３…接合面、３４…フランジ部、３４ａ…フラット部、３５ａ，３５ｂ…カシメ部、３６…芯線、４０…補強部材、４１Ａ…第１水平部、４１Ｂ…第２水平部、４２Ａ…第１垂直部、４２Ｂ…第２垂直部、４３Ａ，４３Ｂ…側面部、４４…挿入部、４４ａ…切片部、４５−１，４５−２…切り込み部、４６−１，４６ｂ−１…挿入子、４７−１，４７−２…被係止部、４８−１，４８−２…被係止部、４９−１〜４９−４…挿入子、５０，５０Ａ…ベース、６０，６０Ａ…カバー、１００…受信装置、１２０…チューナモジュール、１５０…回路基板、１６０…テレビジョン受像機、２００…チューナモジュール、２１０…チューナモジュール基板、２１１−１〜２１１−４…被係止部、２１２−１〜２１２−４…挿入孔、２２０，２２０Ａ…チューナケース、２２１ａ，２２１ｂ…挿入孔、２２２…挿入孔、２２５−１〜２２５−２…係止部、２２５ａ−１〜２２５ａ−２…挿入子、２２６−１〜２２６−４…挿入子、２２７…収容空間、２２９−１〜２２９−２…カシメ部、２３０，２３０Ａ，２３０Ｂ…アンテナコネクタ、２３５ａ〜２３５ｂ…カシメ部、２３７…挟持部、３００…チューナモジュール、ＳＤ１〜ＳＤ４…側部、ＢＳ…基面部
【図１】
0005686066.tif 000002
【図２】
0005686066.tif 000003
【図３】
0005686066.tif 000004
【図４】
0005686066.tif 000005
【図５】
0005686066.tif 000006
【図６】
0005686066.tif 000007
【図７】
0005686066.tif 000008
【図８】
0005686066.tif 000009
【図９】
0005686066.tif 000010
【図１０】
0005686066.tif 000011
【図１１】
0005686066.tif 000012
【図１２】
0005686066.tif 000013
【図１３】
0005686066.tif 000014
【図１４】
0005686066.tif 000015